(57)【要約】【課題】同期基準信号以上の分解能で記録媒体上にマーク形成を行う。【解決手段】マーク形成装置は、ヘッド部により、レーザ駆動パルスに基づくレーザ光照射により記録媒体に対して行ってマークを形成する。このヘッド部に供給するレーザ駆動パルスの開始タイミングの制御信号を生成する制御信号生成部を設け、またヘッド部による記録媒体へのマーク形成動作に同期する同期基準信号を逓倍して逓倍信号を生成する逓倍器を設ける。そしてレーザ駆動パルス生成部は、レーザ駆動パルスを、制御信号に応じて、逓倍信号に基づく分解能で開始タイミングを設定して発生させる。【選択図】図２
2013054808.tif 000002
【特許請求の範囲】
【請求項１】
レーザ駆動パルスに基づくレーザ光照射により記録媒体にマークを形成するヘッド部と、
上記ヘッド部に供給する上記レーザ駆動パルスの開始タイミングの制御信号を生成する制御信号生成部と、
上記ヘッド部による記録媒体へのマーク形成動作に同期する同期基準信号を逓倍して逓倍信号を生成する逓倍器と、
上記レーザ駆動パルスを、上記制御信号に応じて、上記逓倍信号に基づく分解能で開始タイミングを設定して発生させるレーザ駆動パルス生成部と、
を備えたマーク形成装置。
【請求項２】
上記レーザ駆動パルス生成部は、特定のラン長のマーク形成のためのレーザ駆動パルスを、上記制御信号に応じて、上記逓倍信号に基づく分解能で開始タイミングを設定して発生させる請求項１に記載のマーク形成装置。
【請求項３】
上記記録媒体は光ディスク記録媒体であり、
上記ヘッド部は、回転駆動される光ディスク記録媒体に対してのレーザ光照射によりマーク形成を行うものとされ、
上記同期基準信号は、上記光ディスク記録媒体の回転に同期した回転同期信号である請求項１に記載のマーク形成装置。
【請求項４】
上記制御信号生成部は、上記制御信号を、時間軸方向のパルス長で二値以上を表現する多値信号として生成する請求項１に記載のマーク形成装置。
【請求項５】
上記レーザ駆動パルス生成部には、記録媒体に形成するマークのラン長を指定するラン長指定信号が入力され、
上記レーザ駆動パルス生成部は、上記ラン長指定信号で示されるラン長のマーク形成のためのレーザ駆動パルスを、上記制御信号に応じて、上記逓倍信号に基づく分解能で開始タイミングを設定して発生させる請求項１に記載のマーク形成装置。
【請求項６】
レーザ駆動パルスの開始タイミングの制御信号を生成するステップと、
記録媒体へのマーク形成動作に同期する同期基準信号を逓倍して逓倍信号を生成するステップと、
上記レーザ駆動パルスを、上記制御信号に応じて、上記逓倍信号に基づく分解能で開始タイミングを設定して発生させるステップと、
発生された上記レーザ駆動パルスに基づくレーザ光照射により記録媒体にマークを形成するステップと、
を備えたマーク形成方法。
【発明の詳細な説明】
【技術分野】
【０００１】
本開示はマーク形成装置、マーク形成方法に関し、例えば光ディスク等の記録媒体に対してレーザ光照射によりマーク形成を行う技術に関する。
【先行技術文献】
【特許文献】
【０００２】
【特許文献１】特開２００９−０７０４５８号公報
【背景技術】
【０００３】
例えば光ディスクに対する記録装置や、光ディスクの原盤を作成するマスタリング装置などでは、情報信号に応じて発生させたレーザ駆動パルスによりレーザ光源を駆動してレーザ出力を実行させ、これを光ディスクや原盤上に照射してマークを形成していく。
【発明の概要】
【発明が解決しようとする課題】
【０００４】
通常、レーザ駆動パルスは、光ディスクの回転同期信号（同期クロック）に同期した処理で生成されるため、光ディスク上に形成されるマーク位置（マーク開始タイミング）は、回転同期信号（同期クロック）の周波数や、１回転におけるパルス数上限などにより分解能が決まる。このため、光ディスク上の或る任意の位置にマークを形成しようとしても、その希望の位置にマーク形成をすることができない場合が生ずる。
【０００５】
そこで本開示では、より高い分解能で自由度の高いマーク形成を行うことができるようにすることを目的とする。
【課題を解決するための手段】
【０００６】
本開示のマーク形成装置は、レーザ駆動パルスに基づくレーザ光照射により記録媒体にマークを形成するヘッド部と、上記ヘッド部に供給する上記レーザ駆動パルスの開始タイミングの制御信号を生成する制御信号生成部と、上記ヘッド部による記録媒体へのマーク形成動作に同期する同期基準信号を逓倍して逓倍信号を生成する逓倍器と、上記レーザ駆動パルスを、上記制御信号に応じて、上記逓倍信号に基づく分解能で開始タイミングを設定して発生させるレーザ駆動パルス生成部とを備える。
【０００７】
本開示のマーク形成方法は、レーザ駆動パルスの開始タイミングの制御信号を生成するステップと、記録媒体へのマーク形成動作に同期する同期基準信号を逓倍して逓倍信号を生成するステップと、上記レーザ駆動パルスを、上記制御信号に応じて、上記逓倍信号に基づく分解能で開始タイミングを設定して発生させるステップと、発生された上記レーザ駆動パルスに基づくレーザ光照射により記録媒体にマークを形成するステップとを備える。
【０００８】
このような本開示では、同期基準信号を逓倍した逓倍信号の分解能でレーザ駆動パルスのパルスタイミングを制御できるようにする。これにより記録媒体上でのマーク形成位置を、同期基準信号の分解能より高い逓倍信号の分解能で制御できるようにする。
なお「マーク」とは、エンボスピットマーク、相変化マーク、色素変化マーク、干渉縞マーク、屈折率変化マーク、ボイド（空孔）マーク、露光マークなど、記録媒体上に形成される各種のマークを総称するものである。
【発明の効果】
【０００９】
本開示によれば、より高い分解能で記録媒体上でのマーク形成位置の制御が可能となる。これによって自由度の高いマーク形成ができるという効果が得られる。
【図面の簡単な説明】
【００１０】
【図１】本開示の実施の形態のマーク形成装置のブロック図である。
【図２】第１の実施の形態のレーザ駆動パルスの説明図である。
【図３】第１の実施の形態のレーザ駆動パルス生成についての各種波形の説明図である。
【図４】実施の形態で形成されるマークの例の説明図である。
【図５】図４のマーク形成のためのレーザ駆動パルス生成の説明図である。
【図６】実施の形態で形成されるマークの例の説明図である。
【図７】第２の実施の形態のレーザ駆動パルスの説明図である。
【図８】第３の実施の形態のレーザ駆動パルスの説明図である。
【図９】第４の実施の形態で形成されるマークの例の説明図である。
【図１０】第４の実施の形態のレーザ駆動パルスの説明図である。
【図１１】第４の実施の形態のレーザ駆動パルスの説明図である。
【図１２】光ディスクのＢＣＡの説明図である。
【図１３】実施の形態のマーク形成をＢＣＡに利用した場合の説明図である。
【図１４】実施の形態のマーク形成をＢＣＡに利用した場合の説明図である。
【発明を実施するための形態】
【００１１】
以下、実施の形態を次の順序で説明する。
＜１．マーク形成装置の構成＞
＜２．第１の実施の形態のレーザ駆動パルス生成＞
＜３．第２の実施の形態のレーザ駆動パルス生成＞
＜４．第３の実施の形態のレーザ駆動パルス生成＞
＜５．第４の実施の形態のレーザ駆動パルス生成＞
＜６．ＢＣＡへの適用例＞
＜７．変形例＞
【００１２】
＜１．マーク形成装置の構成＞
図１でマーク形成装置の構成を説明する。ここでは、一例としてディスク原盤を作成するマスタリング装置に本開示のマーク形成装置を適用した例を示す。
【００１３】
なお、実施の形態のマーク形成装置が光ディスク等の記録媒体に形成するマークとは、エンボスピットマーク、相変化マーク、色素変化マーク、干渉縞マーク、屈折率変化マーク、ボイド（空孔）マーク、露光マークなど、各種のマークをいうが、この図１の場合、記録媒体としてのディスク原盤９０に対して形成する露光マークのこととなる。
ディスク原盤９０は、表面に形成されたレジスト膜がマスタリング装置のレーザ照射により露光され、露光された部分が現像処理により凹部となる。即ちピット列を形成するパターンとなる。このようなディスク原盤９０からスタンパが作成され、さらにスタンパを用いて光ディスクが製造される。製造される光ディスクでは、ディスク原盤９０上で露光された部分がピットとなる。
従って、図１のマーク形成装置（マスタリング装置）では、最終製品である光ディスクにおいてピットとなる部分を露光マークとして形成するものである。本実施の形態では、この露光マークの形成位置を、高い分解能で制御可能とする。
【００１４】
図１のマーク形成装置は、制御信号生成部１、レーザ駆動パルス生成部２、露光ヘッド部３、逓倍器４、ターンテーブル５、スピンドルモータ６、スライダ７、駆動制御部８を備える。
【００１５】
露光ヘッド部３内には、露光用のレーザ光源及び必要な光学系、対物レンズ３ａ等が搭載される。レーザ光源は、レーザ駆動パルス生成部２からのレーザ駆動パルスＰｄに基づいて発光を行う。
露光用のレーザ光は対物レンズ３ａからディスク原盤９０に照射される。
【００１６】
ディスク原盤９０は、ターンテーブル５に搭載され、スピンドルモータ６によって回転駆動される。スピンドルモータ６、駆動制御部８によって回転速度が制御されながら回転駆動される。これによってディスク原盤９０は例えば一定線速度又は一定角速度で回転される。
スライダ７は、ディスク原盤９０が積載されたターンテーブル５を移動させる。即ち、スピンドルモータ６で回転されている状態のディスク原盤９０は、スライダ７で半径方向に移動されながら露光ヘッド部３によって露光されていくことで、露光マーク列によるトラックがスパイラル状に形成されていくことになる。スライダ７は駆動制御部８によって所定速度でスライド駆動される。
駆動制御部８は、スピンドルモータ６及びスライダ７を駆動制御するとともに、スピンドルモータ６の回転に同期したクロック（回転同期クロックＣＫ）を発生させ、制御信号生成部１に供給する。回転同期クロックＣＫは、例えばスピンドルモータ６の回転制御に使用するクロック、もしくはそれを逓倍したクロックである。
【００１７】
制御信号生成部１は、回転同期クロックＣＫに基づく処理で、レーザ駆動パルス生成部２から露光ヘッド部３に供給するレーザ駆動パルスの開始タイミングの制御信号Ｓｃを生成して出力する。制御信号Ｓｃは、詳しくは後述するが、特定のマークパターンをディスク原盤９０上に形成するための信号となる。
また制御信号生成部１は、回転同期クロックＣＫを逓倍器４及びレーザ駆動パルス生成部２に供給する。
【００１８】
逓倍器４は、回転同期クロックＣＫを逓倍した逓倍クロックｎ・ＣＫを生成し、レーザ駆動パルス生成部２に供給する。例えば回転同期クロックＣＫを４逓倍して４倍の周波数の逓倍クロックｎ・ＣＫを出力する。
なお、逓倍器４は、レーザ駆動パルス生成部２内に形成されてもよい。また、駆動制御部８内に設け、駆動制御部８が、逓倍クロックｎ・ＣＫをレーザ駆動パルス生成部２に供給するようにしてもよい。
【００１９】
レーザ駆動パルス生成部２は、レーザ駆動パルスＰｄを生成して露光ヘッド部３に供給する。
通常のマスタリング動作のためには、レーザ駆動パルス生成部２に、図示しない記録データ生成部から記録データＲＤが供給される。レーザ駆動パルス生成部２は記録データＲＤに対応したストラテジパターンとして、レーザ駆動パルスＰｄを生成する。例えば記録データのＮＲＺｉ変調信号などに応じて、２Ｔ、３Ｔ、４Ｔ・・・等のラン長（Ｔはチャネルクロック周期）に対応するストラテジパターンのレーザ駆動パルスＰｄを生成する。これにより、ディスク原盤９０に、記録データに応じたピット列を形成するための露光マークが形成されていくことになる。それにより例えばエンボスピット列でデータ記録が行われた光ディスクの製造のためのディスク原盤９０が形成される。
【００２０】
本例の場合、特に、記録データとしてのマーク形成ではない場合に制御信号Ｓｃに基づくレーザ駆動パルスＰｄの生成を行う。例えば特定のラン長のマーク（例えば２Ｔマーク）を、ディスク原盤９０上の所望の位置に形成したい場合に、レーザ駆動パルス生成部２は、制御信号Ｓｃに基づいて、２Ｔマーク用のレーザ駆動パルスＰｄを生成することができる。つまり、記録データに基づかないマーク形成である。
例えば後述するＢＣＡ（Burst Cutting Area）の形成のためや、或いはディスク上にピットマークによる描画を行う場合などに実行する動作である。
そしてその場合、レーザ駆動パルス生成部２は、レーザ駆動パルスＰｄを、制御信号Ｓｃに応じて、逓倍クロックｎ・ＣＫに基づく分解能で開始タイミングを設定して発生させる。
【００２１】
なお、破線で示すようにラン長指定信号ＭＴがレーザ駆動パルス生成部２に供給される構成例もあるが、これについては第４の実施の形態で説明する。
【００２２】
＜２．第１の実施の形態のレーザ駆動パルス生成＞
第１の実施の形態としてのレーザ駆動パルス生成動作について説明する。以下説明する動作は、制御信号生成部がレーザ駆動パルス生成部２に制御信号Ｓｃを与え、レーザ駆動パルス生成部２が、制御信号Ｓｃに応じて、特定のラン長のマーク形成のためのレーザ駆動パルスＰｄを、逓倍クロックｎ・ＣＫに基づく分解能で開始タイミングを設定して発生させる動作である。発生されたレーザ駆動パルスＰｄに応じて、露光ヘッド３がレーザ発光を行い、ディスク原盤９０に対する露光マークを形成する。
これは、記録データＲＤに基づく露光ではなく、ディスク原盤９０の所望の位置に露光マークを形成し、ひいてはディスク原盤９０を元として製造される光ディスクの所望の位置にピットを形成するための動作となる。
本例では、特定のラン長のマーク形成のためのレーザ駆動パルスＰｄとして、２Ｔマーク形成のためのレーザ駆動パルスＰｄを発生させる例で説明する。
【００２３】
図２に各部の信号波形を示す。
図２Ａは回転同期クロックＣＫ、図２Ｂは逓倍クロックｎ・ＣＫを示している。逓倍クロックｎ・ＣＫは、回転同期クロックＣＫを４逓倍したクロックである。
図２Ｃ、図２Ｄは、制御信号生成部１が出力する制御信号Ｓｃと、それに応じてレーザ駆動パルス生成部２が出力するレーザ駆動パルスＰｄを示している。
【００２４】
制御信号生成部１は、制御信号Ｓｃを、時間軸方向のパルス長で二値以上を表現する多値信号として生成する。図２Ｃは、２Ｔ長のパルスとして、「第１値」を示す制御信号Ｓｃを示しており、図２Ｄは３Ｔ長のパルスとして、「第２値」を示す制御信号Ｓｃを示している。例えばこのように制御信号Ｓｃは、パルス長で時間方向に多値化された制御値を表すものとする。
【００２５】
図２Ｃ、図２Ｄにおけるレーザ駆動パルスＰｄは、２Ｔマークを形成するストラテジ波形としている。なお公知のとおり、各種Ｔ長のストラテジ波形は多様に考えられ、２Ｔマークについてのストラテジ波形が図示のような階段状のパルス波形としているのは説明上の一例に過ぎない。
以下では、２Ｔマーク用のレーザ駆動パルスＰｄを示す場合は「Ｐｄ（２Ｔ）」と表記する。
【００２６】
図２Ｃの場合、２Ｔ長の制御信号Ｓｃに応じて、レーザ駆動パルス生成部２は、レーザ駆動パルスＰｄ（２Ｔ）を発生させる。
レーザ駆動パルス生成部２は、制御信号Ｓｃの値にかかわらず、レーザ駆動パルスＰｄ（２Ｔ）を発生させるものであるが、制御信号Ｓｃの値に応じて、開始タイミングを変化させる。即ち制御信号Ｓｃに応じて、逓倍クロックｎ・ＣＫに基づく分解能で開始タイミングを設定してレーザ駆動パルスＰｄ（２Ｔ）を発生させる。
この図２Ｃに示す場合、回転同期クロックＣＫの立ち上がりタイミングに一致する逓倍クロックｎ・ＣＫのタイミングで、レーザ駆動パルスＰｄ（２Ｔ）が開始されるようにしている。
【００２７】
一方、図２Ｄに示す場合は、３Ｔ長の制御信号Ｓｃに応じて、レーザ駆動パルス生成部２は、同じくレーザ駆動パルスＰｄ（２Ｔ）を発生させる。ところがこの場合は、同じ２Ｔマーク用のレーザ駆動パルスＰｄ（２Ｔ）を発生させるのであるが、その開始タイミングを、回転同期クロックＣＫの立ち上がりから１／２周期に相当する期間ｄｔだけ遅れたタイミングとする。即ち逓倍クロックｎ・ＣＫで２クロック分、遅らせてレーザ駆動パルスＰｄ（２Ｔ）を発生させる。
【００２８】
このことにより、図２Ｄの第２値の制御信号Ｓｃに対するレーザ駆動パルスＰｄ（２Ｔ）に基づいて露光ヘッド部３で発光されるレーザ光（パルス光）は、第１値の制御信号Ｓｃに対するレーザ光（パルス光）よりも、回転同期クロックＣＫに対して２分の１クロック分ずれたタイミングで発光する。ディスク原盤９０上の露光マークでいえば、回転同期クロックＣＫに同期した位置より２分の１クロック分ずれた位置に形成されることとなる。
つまり本実施の形態によれば、レーザ駆動パルスＰｄとしてのストラテジ波形は、制御信号Ｓｃに応じて、逓倍クロックｎ・ＣＫに同期したタイミングに制御される。このため回転同期クロックＣＫよりも細かいパルスタイミング制御、ひいては露光マーク位置の制御が可能となる。
【００２９】
図３は、制御信号Ｓｃに応じて逐次発生されるレーザ駆動パルスＰｄの例を示している。
図３Ａは制御信号生成部１が入出力する回転同期クロックＣＫ、図３Ｂは制御信号Ｓｃを示している。図のように、制御信号Ｓｃとして、２Ｔ長のパルスによる第１値や、３Ｔ長のパルスによる第２値を逐次出力する。
図３Ｃは、レーザ駆動パルス生成部２が入力する回転同期クロックＣＫ、図３Ｄは逓倍クロックｎ・ＣＫ示している。図３Ｄはレーザ駆動パルス生成部２が入力する制御信号Ｓｃである。
レーザ駆動パルス生成部２は、制御信号Ｓｃに応じて、逓倍クロックｎ・ＣＫに同期したタイミング設定を行って２Ｔマーク形成のためのレーザ駆動パルスＰｄ（２Ｔ）を発生させる。
図示のように、制御信号Ｓｃが第１値であれば、回転同期クロックＣＫと同期したタイミングでレーザ駆動パルスＰｄ（２Ｔ）を出力し、制御信号Ｓｃが第２値であれば、回転同期クロックＣＫの１／２周期である期間ｄｔだけ遅らせたタイミングでレーザ駆動パルスＰｄ（２Ｔ）を出力する。
【００３０】
以上のように第１の実施の形態では、マーク位置情報を多値化した制御信号Ｓｃを発生する制御信号生成部１と、回転同期クロックＣＫを逓倍する逓倍器４と、制御信号Ｓｃに応じて逓倍クロックｎ・ＣＫで開始タイミングを制御して特定のＴ長（例えば２Ｔ長）のマーク形成のためのレーザ駆動パルスＰｄ（２Ｔ）を発生するレーザ駆動パルス生成部２を設ける。これにより、回転同期クロックＣＫよりも高い分解能でのマーク位置制御が可能となる。
なお、ディスク原盤９０の回転に同期する回転同期クロックＣＫから生成される逓倍クロックｎ・ＣＫによって開始タイミングが制御されるものであるため、ディスク回転駆動方式が線速度一定の場合でも角速度一定の場合でも、本例の動作は適用可能である。
【００３１】
実際のマーク形成例を説明する。
今、図４のように、ディスク原盤９０上に、２Ｔ長のマークＭ（製造される光ディスクにおける２Ｔ長のピット）を配置したいとする。
破線で示すように、各マークＭは、マーク間距離がすべて距離ＰＰであり、正三角形の各頂点位置となるように千鳥状に配置する例である。
【００３２】
図５に各波形を示す。図５Ａは回転同期クロックＣＫ、図５Ｂは逓倍クロックｎ・ＣＫである。
図４のマーク配置のために、例えばまずトラックＴＫ１としてのレーザ露光走査を行う期間には、図５Ｃに示すように、或る特定の期間をおいて、回転同期クロックＣＫに同期してレーザ駆動パルスＰｄ（２Ｔ）を発生させればよいとする。
即ち、この場合、３Ｔ期間をおきながら２Ｔマークのためのレーザ駆動パルスＰｄ（２Ｔ）を発生させればよい。単にこれだけなら上述した本例の構成は必要ではないが、次のトラックＴＫ２の走査時点では、回転同期クロックＣＫでは規定できない位置にマーク形成することが必要になる。つまりトラック線方向には、回転同期クロックＣＫの立ち上がりから１／２周期ずれたタイミングに相当する位置にマークＭを形成する必要がある。
これを考慮して、本実施の形態の動作を適用する。
【００３３】
まず奇数番目のトラックＴＫ１，ＴＫ３・・・では、図５Ｃのように制御信号生成部１が制御信号Ｓｃを発生させる。ここでは制御信号Ｓｃは２Ｔ長のＨ期間と３Ｔ長のＬ期間で構成されものとし、つまり第１値の制御信号Ｓｃを３Ｔ期間おきに与えるものとしている。
レーザ駆動パルス生成部２は、この制御信号Ｓｃに応じたレーザ駆動パルスＰｄ（２Ｔ）により露光ヘッド部３にレーザ出力を実行させ、ディスク原盤９０上にマーク形成していく。
一方、偶数番目のトラックＴＫ２，ＴＫ４・・・では、図５Ｄのように制御信号生成部１が制御信号Ｓｃを発生させる。この場合、制御信号Ｓｃは３Ｔ長のＨ期間と２Ｔ長のＬ期間で構成されものとし、つまり第２値の制御信号Ｓｃを２Ｔ期間おきに与えるものとする。簡単に言えば、図５Ｃの制御信号Ｓｃを位相反転したものである。レーザ駆動パルス生成部２は、この制御信号Ｓｃに応じて、タイミングを期間ｄｔだけ遅らせたレーザ駆動パルスＰｄ（２Ｔ）を発生し、これにより露光ヘッド部３にレーザ出力を実行させて、ディスク原盤９０上にマーク形成していく。
このようにすることで、図４のような正三角形の各頂点位置での２ＴマークＭの形成、つまり回転同期クロックＣＫでは規定できない位置を含めてのマーク形成が可能となる。
【００３４】
図４は一例であるが、もちろんさらに多様なマーク位置設定が可能となる。
例えば図６ＡのようなマークＭ（ピット）の形成も可能である。図６Ａにおいて、矢印の位置が、回転同期クロックＣＫに同期した位置（回転同期クロックＣＫに同期したレーザ駆動パルスＰｄで形成可能な位置）であるとする。
例えばこの場合、トラックＴＫ２、ＴＫ４では、回転同期クロックＣＫから１／２周期遅れた位置に２ＴマークＭを形成することとなるが、上述の図５と同様、制御信号Ｓｃに応じてレーザ駆動パルスＰｄ（２Ｔ）のタイミングを制御することで、この図のようなマーク配置（ピット配置）が可能となる。
【００３５】
＜３．第２の実施の形態のレーザ駆動パルス生成＞
第２の実施の形態のレーザ駆動パルス生成動作を説明する。基本的には第１の実施の形態と同様であるが、この第２の実施の形態は、制御信号Ｓｃとして「第１値」〜「第４値」を持つようにした例である。
図７に各波形を示す。図７Ａは回転同期クロックＣＫ、図７Ｂは逓倍クロックｎ・ＣＫである。
図７Ｃ、図７Ｄ、図７Ｅ、図７Ｆは、それぞれ制御信号生成部１が出力する制御信号Ｓｃと、それに応じてレーザ駆動パルス生成部２が出力するレーザ駆動パルスＰｄを示している。
【００３６】
図７Ｃの場合、２Ｔ長の制御信号Ｓｃ（第１値）に応じて、レーザ駆動パルス生成部２は、回転同期クロックＣＫの立ち上がりタイミングに一致する逓倍クロックｎ・ＣＫのタイミングで、２Ｔマーク形成のためのレーザ駆動パルスＰｄ（２Ｔ）を発生させる。
図７Ｄの場合、３Ｔ長の制御信号Ｓｃ（第２値）に応じて、レーザ駆動パルス生成部２は、開始タイミングを、回転同期クロックＣＫの立ち上がりから１／４周期に相当する期間ｄｔ１、つまり逓倍クロックｎ・ＣＫの１クロック分だけ遅らせて、２Ｔマーク形成のためのレーザ駆動パルスＰｄ（２Ｔ）を発生させる。
図７Ｅの場合、４Ｔ長の制御信号Ｓｃ（第３値）に応じて、レーザ駆動パルス生成部２は、開始タイミングを、回転同期クロックＣＫの立ち上がりから２／４周期に相当する期間ｄｔ２、つまり逓倍クロックｎ・ＣＫの２クロック分だけ遅らせて、２Ｔマーク形成のためのレーザ駆動パルスＰｄ（２Ｔ）を発生させる。
図７Ｆの場合、５Ｔ長の制御信号Ｓｃ（第４値）に応じて、レーザ駆動パルス生成部２は、開始タイミングを、回転同期クロックＣＫの立ち上がりから３／４周期に相当する期間ｄｔ３、つまり逓倍クロックｎ・ＣＫの３クロック分だけ遅らせて、２Ｔマーク形成のためのレーザ駆動パルスＰｄ（２Ｔ）を発生させる。
【００３７】
このように制御信号Ｓｃに応じてレーザ駆動パルスＰｄの開始タイミングを制御することで、回転同期クロックＣＫよりも高い分解能でのマーク位置制御が可能となる。
なお、この例では逓倍クロックｎ・ＣＫは回転同期クロックＣＫの４逓倍のクロックとしているが、もちろん８逓倍など、さらに高い周波数の逓倍クロックｎ・ＣＫを用い、また制御信号Ｓｃで示す値の数を多くすれば、より細かくレーザ駆動パルスＰｄのタイミング制御を行うことも可能である。
【００３８】
この第２の実施の形態によれば、図６Ａ、図６Ｂ、図６Ｃのようなマーク形成も可能である。図６Ａ、図６Ｂ、図６Ｃにおいて、それぞれ矢印の位置が、回転同期クロックＣＫに同期した位置であるとする。
図６Ａのマーク形成の場合は、トラックＴＫ１、ＴＫ３の走査時は、図７Ｃのように制御信号Ｓｃ＝第１値として回転同期クロックＣＫに同期したレーザ駆動パルスＰｄ（２Ｔ）を発生させる。
トラックＴＫ２、ＴＫ４の走査時は、回転同期クロックＣＫから１／２周期遅れた位置に２ＴマークＭを形成することとなるため、図７Ｅのように制御信号Ｓｃ＝第３値とし、期間ｄｔ２だけ遅延させたレーザ駆動パルスＰｄ（２Ｔ）を発生させる。
【００３９】
図６ＢのようなマークＭ（ピット）の形成も可能である。
例えばこの場合、トラックＴＫ１、ＴＫ５では、図７Ｃのように制御信号Ｓｃ＝第１値として回転同期クロックＣＫに同期したレーザ駆動パルスＰｄ（２Ｔ）を発生させる。
トラックＴＫ２、ＴＫ４では、図７Ｄのように制御信号Ｓｃ＝第２値として期間ｄｔ１だけ遅延させたレーザ駆動パルスＰｄ（２Ｔ）を発生させる。
トラックＴＫ３では、図７Ｅのように制御信号Ｓｃ＝第３値として期間ｄｔ２だけ遅延させたレーザ駆動パルスＰｄ（２Ｔ）を発生させる。
これにより図６Ｂのようなマーク配置（ピット配置）が可能となる。
【００４０】
また図６ＣのようなマークＭ（ピット）を形成する場合は、トラックＴＫ１、ＴＫ５では、図７Ｃのように制御信号Ｓｃ＝第１値として回転同期クロックＣＫに同期したレーザ駆動パルスＰｄ（２Ｔ）を発生させる。
トラックＴＫ２、ＴＫ６では、図７Ｄのように制御信号Ｓｃ＝第２値として期間ｄｔ１だけ遅延させたレーザ駆動パルスＰｄ（２Ｔ）を発生させる。
トラックＴＫ３、ＴＫ７では、図７Ｅのように制御信号Ｓｃ＝第３値として期間ｄｔ２だけ遅延させたレーザ駆動パルスＰｄ（２Ｔ）を発生させる。
トラックＴＫ４、ＴＫ８では、図７Ｆのように制御信号Ｓｃ＝第４値として期間ｄｔ３だけ遅延させたレーザ駆動パルスＰｄ（２Ｔ）を発生させる。
これにより図６Ｃのようなマーク配置（ピット配置）が可能となる。
【００４１】
＜４．第３の実施の形態のレーザ駆動パルス生成＞
第３の実施の形態は、制御信号Ｓｃを、時間軸方向のパルス長で多値を表現するのではなく、制御信号生成部１からレーザ駆動パルス生成部２に複数の信号線で多値を送信する例である。
例えば制御信号生成部１からレーザ駆動パルス生成部２に、二本の信号線で、２ビット値を伝送する。即ち（０，０）（０，１）（１，０）（１，１）の４値の信号を送るようにする。
【００４２】
図８に信号波形を示す。図７Ａは回転同期クロックＣＫ、図７Ｂは逓倍クロックｎ・ＣＫである。図７Ｃ、図７Ｄ、図７Ｅ、図７Ｆは、それぞれ制御信号生成部１が出力する制御信号Ｓｃと、それに応じてレーザ駆動パルス生成部２が出力するレーザ駆動パルスＰｄを示している。制御信号Ｓｃは２ビット値として示している。
【００４３】
制御信号Ｓｃ＝（０，０）であれば、レーザ駆動パルス生成部２は、回転同期クロックＣＫの立ち上がりタイミングに一致する逓倍クロックｎ・ＣＫのタイミングで、２Ｔマーク形成のためのレーザ駆動パルスＰｄ（２Ｔ）を発生させる（図８Ｃ）。
制御信号Ｓｃ＝（０，１）であれば、レーザ駆動パルス生成部２は、開始タイミングを、回転同期クロックＣＫの立ち上がりから１／４周期に相当する期間ｄｔ１、つまり逓倍クロックｎ・ＣＫの１クロック分だけ遅らせて、２Ｔマーク形成のためのレーザ駆動パルスＰｄ（２Ｔ）を発生させる（図８Ｄ）。
制御信号Ｓｃ＝（１，０）であれば、レーザ駆動パルス生成部２は、開始タイミングを、回転同期クロックＣＫの立ち上がりから２／４周期に相当する期間ｄｔ２、つまり逓倍クロックｎ・ＣＫの２クロック分だけ遅らせて、２Ｔマーク形成のためのレーザ駆動パルスＰｄ（２Ｔ）を発生させる（図８Ｅ）。
制御信号Ｓｃ＝（１，１）であれば、レーザ駆動パルス生成部２は、開始タイミングを、回転同期クロックＣＫの立ち上がりから３／４周期に相当する期間ｄｔ３、つまり逓倍クロックｎ・ＣＫの３クロック分だけ遅らせて、２Ｔマーク形成のためのレーザ駆動パルスＰｄ（２Ｔ）を発生させる（図８Ｆ）。
【００４４】
このように、（０，０）（０，１）（１，０）（１，１）が、それぞれ回転同期クロックＣＫとの同期、１／４周期遅延、２／４周期遅延、３／４周期遅延を指定する。
これにより、上述した第２の実施の形態と同様のマーク位置制御が可能となる。また、このように制御信号Ｓｃを、複数信号線で多値信号を伝送するようにすれば、１つの制御信号Ｓｃの伝送時間も短縮でき、トラック線方向にマーク間隔を詰める場合の自由度も向上する。
もちろん、逓倍クロックｎ・ＣＫの逓倍数を大きくし、また３ビット以上の制御信号Ｓｃを用いることで、より分解能の高いマーク形成ができるようにすることも想定される。
【００４５】
＜５．第４の実施の形態のレーザ駆動パルス生成＞
第１〜第３の実施の形態では、制御信号Ｓｃに基づいては２Ｔマーク形成のためのレーザ駆動パルスＰｄ（２Ｔ）を生成するものとしたが、特定のＴ長ではなく、多種類のマーク長のマーク形成の場合にも、制御信号Ｓｃによるタイミング制御を適用できる。
例えば、レーザ駆動パルス生成部２には、図１に破線で示したようにラン長指定信号ＭＴが入力されるようにする。ラン長指定信号ＭＴは、図示しない制御部、もしくは制御信号生成部１で生成されればよい。このラン長指定信号ＭＴは、例えば２Ｔ、３Ｔ、４Ｔ等の複数種類のラン長を指定する信号である。
【００４６】
例えば図９Ａ、図９Ｂのように、２Ｔマーク、３Ｔマーク、４Ｔマークなど、多種類のＴ長のマークＭについて、それぞれ回転同期クロックＣＫでの分解能より高い精度で位置制御したい場合を考える。図９Ａ、図９Ｂにおいて、それぞれ矢印の位置が、回転同期クロックＣＫに同期した位置であるとする。
図９Ａでは、トラックＴＫ１、ＴＫ３で２Ｔマークを矢印の回転同期クロックＣＫに同期した位置で形成する。トラックＴＫ２では、３Ｔマークを、回転同期クロックＣＫから１／２周期遅れた位置に形成する。
図９Ｂでは、トラックＴＫ１では４Ｔマークを矢印の回転同期クロックＣＫに同期した位置で形成する。トラックＴＫ２では、３Ｔマークを、回転同期クロックＣＫから１／４周期遅れた位置に形成する。トラックＴＫ３では、２Ｔマークを、回転同期クロックＣＫから２／４周期遅れた位置に形成する。
例えばこのようなマーク形成を行いたい場合、以下の方式でレーザ駆動パルスＰｄの生成を行うようにする。
【００４７】
図１０，図１１に信号波形を示す。図１０Ａ、図１１Ａは回転同期クロックＣＫ、図１０Ｂ，図１１Ｂは逓倍クロックｎ・ＣＫである。図１０Ｃ、図１０Ｄ、図１０Ｅ、図１１Ｃ、図１１Ｄ、図１１Ｅは、それぞれレーザ駆動パルス生成部２に入力される制御信号Ｓｃ、ラン長指定信号ＭＴと、レーザ駆動パルス生成部２が出力するレーザ駆動パルスＰｄを示している。制御信号Ｓｃは上述の第３の実施の形態と同様の２ビット値として示している。なお、制御信号Ｓｃを、第１，第２の実施の形態のように、時間軸方向のパルス長で多値を表現する信号としてもよい。
【００４８】
図１０Ｃ、図１０Ｄ、図１０Ｅのそれぞれは、制御信号Ｓｃ＝（０，０）であって、回転同期クロックＣＫに同期してのレーザ駆動パルスＰｄの出力を指示する場合を示している。それぞれラン長指定信号ＭＴが、２Ｔパルス、３Ｔパルス、４Ｔパルスの場合である。このラン長指定信号ＭＴは、パルス長で２Ｔ、３Ｔ、４Ｔを指定するものとする。つまり時間軸方向のパルス長でラン長を表現する信号としている。
なお、ラン長指定信号ＭＴは、２ビット値、３ビット値等でラン長を指定する信号としてもよい。
【００４９】
図１０Ｃの場合、ラン長指定信号ＭＴで２Ｔが指定され、制御信号Ｓｃ＝（０，０）とされている。これに応じてレーザ駆動パルス生成部２は、回転同期クロックＣＫの立ち上がりタイミングに一致する逓倍クロックｎ・ＣＫのタイミングで、２Ｔマーク形成のためのレーザ駆動パルスＰｄ（２Ｔ）を発生させる。
図１０Ｄの場合、ラン長指定信号ＭＴで３Ｔが指定され、制御信号Ｓｃ＝（０，０）とされている。これに応じてレーザ駆動パルス生成部２は、回転同期クロックＣＫの立ち上がりタイミングに一致する逓倍クロックｎ・ＣＫのタイミングで、３Ｔマーク形成のためのレーザ駆動パルスＰｄ（３Ｔ）を発生させる。
図１０Ｅの場合、ラン長指定信号ＭＴで４Ｔが指定され、制御信号Ｓｃ＝（０，０）とされている。これに応じてレーザ駆動パルス生成部２は、回転同期クロックＣＫの立ち上がりタイミングに一致する逓倍クロックｎ・ＣＫのタイミングで、４Ｔマーク形成のためのレーザ駆動パルスＰｄ（４Ｔ）を発生させる。
【００５０】
なお、図１０Ｄに示した３Ｔマーク形成のためのレーザ駆動パルスＰｄ（３Ｔ）のストラテジ波形や、図１０Ｅに示した４Ｔマーク形成のためのレーザ駆動パルスＰｄ（４Ｔ）のストラテジ波形も、レーザ駆動パルスＰｄ（２Ｔ）と同様、一例に過ぎない。各Ｔに応じたストラテジ波形は多様に考えられる。
【００５１】
図１１Ｃ、図１１Ｄ、図１１Ｅのそれぞれは、制御信号Ｓｃが（０，０）以外の場合を例示している。
図１１Ｃの場合、ラン長指定信号ＭＴで２Ｔが指定され、制御信号Ｓｃ＝（０，１）とされている。これに応じてレーザ駆動パルス生成部２は、開始タイミングを、回転同期クロックＣＫの立ち上がりから１／４周期に相当する期間ｄｔ１、つまり逓倍クロックｎ・ＣＫの１クロック分だけ遅らせて、２Ｔマーク形成のためのレーザ駆動パルスＰｄ（２Ｔ）を発生させる。
図１１Ｄの場合、ラン長指定信号ＭＴで３Ｔが指定され、制御信号Ｓｃ＝（１，０）とされている。これに応じてレーザ駆動パルス生成部２は、開始タイミングを、回転同期クロックＣＫの立ち上がりから２／４周期に相当する期間ｄｔ２、つまり逓倍クロックｎ・ＣＫの２クロック分だけ遅らせて、３Ｔマーク形成のためのレーザ駆動パルスＰｄ（３Ｔ）を発生させる。
図１１Ｅの場合、ラン長指定信号ＭＴで４Ｔが指定され、制御信号Ｓｃ＝（１，１）とされている。これに応じてレーザ駆動パルス生成部２は、開始タイミングを、回転同期クロックＣＫの立ち上がりから３／４周期に相当する期間ｄｔ３、つまり逓倍クロックｎ・ＣＫの３クロック分だけ遅らせて、４Ｔマーク形成のためのレーザ駆動パルスＰｄ（４Ｔ）を発生させる。
なお、ラン長指定信号ＭＴで２Ｔが指定され、制御信号Ｓｃが（１，０）又は（１，１）の場合、ラン長指定信号ＭＴで３Ｔが指定され、制御信号Ｓｃが（０，１）又は（１，１）の場合、ラン長指定信号ＭＴで４Ｔが指定され、制御信号Ｓｃが（０，１）又は（１，０）の場合については、図示は省略するが、同様に指定されたラン長のマーク形成のためのレーザ駆動パルスＰｄについて、制御信号Ｓｃにより開始タイミングが制御される。
【００５２】
このように、ラン長指定信号ＭＴで形成するマーク長が指定され、かつその場合のレーザ駆動パルスＰｄの開始タイミングが、制御信号Ｓｃに応じて制御される。
これにより、単一の特定のラン長のマークだけでなく、多種類のラン長のマークを形成する場合も、回転同期クロックＣＫよりも高い分解能でのマーク位置制御が可能となる。
例えば図９で例示したようなマーク形成を行う場合は、制御信号Ｓｃに加えて、ラン長指定信号ＭＴも、制御信号生成部１が発生し、レーザ駆動パルス生成部２に供給するようにしてもよい。
【００５３】
なお、記録データＲＤは、記録する情報に応じて変調された信号であって、マークのラン長を指定する信号である。従って記録データＲＤもラン長指定信号ＭＴの一種と考えることもできる。そのため、記録データＲＤに基づくレーザ駆動パルスＰｄを生成する場合も、レーザ駆動パルス生成部２は、制御信号Ｓｃに応じてレーザ駆動パルスＰｄの開始タイミングを制御するようにすることも可能である。
【００５４】
＜６．ＢＣＡへの適用例＞
ここでは、以上のようなレーザ駆動パルスＰｄのタイミング制御を適用してマークを形成する動作を、ＢＣＡ記録に適用する例を説明する。
図１２は光ディスクのディスク全体のレイアウト（領域構成）を概略的に示したものである。光ディスクとは、例えばＢＤ（Blu-ray Disc：登録商標）、ＣＤ（Compact Disc）、ＤＶＤ（Digital Versatile Disc）等の光ディスクである。
【００５５】
光ディスク上の主たる領域としては、内周側からリードインゾーンＬＩ、データゾーンＤＡ、リードアウトゾーンＬＯが配される。
リードインゾーンには、ディスクの物理特性や記録再生のための管理情報などが記録される。データゾーンは、主たるデータ、例えば映像や音楽等のコンテンツデータ、アプリケーションプログラムなどコンピュータ用途データなどが用いられる。リードアウトゾーンＬＯはバッファエリアとされたり、管理情報が記録されることもある。
【００５６】
通常の記録再生には、これらの領域が用いられるが、特に個々のディスク管理等の目的のため、リードインゾーンＬＩより内周側にはＢＣＡが設けられる。
このＢＣＡは、反射率の異なる領域として放射状のパターンが形成されることで、トラッキングフリーで情報を読み出せる領域とされる。そして特に、大量生産される光ディスクに、ディスク固有の情報、例えばシリアルナンバ等の情報を付加できる領域として用いられている。
【００５７】
ＢＣＡは、図示するように、トラック線方向にみて交互に現れる高反射率領域と低反射率領域とが、それぞれトラックピッチ方向（半径方向）に連続する状態で形成されていることでバーコード状の反射パターンとされる。例えば高反射率領域と低反射率領域が、半径２１．０ｍｍ〜２２．２ｍｍの範囲に連続して形成されることでバーコード状とされる。
この場合、バーコード状のパターンであることで、このＢＣＡの範囲はトラッキングフリーで情報を読み取ることができる。
【００５８】
一般にＢＣＡはディスク記録媒体固有のユニークＩＤ等を、例えば記録層の反射膜を焼き切る記録方式で記録しているが、本実施の形態では、例えば高反射率領域をミラー面、低反射率領域をピット形成面として形成することとする。
図１３Ａは、ＢＣＡ部分の放射状のバーコードパターンを示している。黒い帯で示す部分が低反射率領域ＬＡであるが、それを図１３Ｂに拡大して示している。
図１３Ｂに示すように、低反射率領域ＬＡでは、破線で示す正三角形の各頂点位置（黒丸で示す）が、略中心となるようにピットＰが形成されている。
つまり図のように低反射率領域ＬＡの面上に、仮想的に、多数の連続する正三角形を構成するラインを引いた場合に、各ピットＰが、その仮想的に引いた正三角形のラインの各頂点位置を含むように形成されている。これにより、全体のピットの並びとしては、いわゆる千鳥状に、１トラック毎にピットがずれて並ぶような状態となる。
【００５９】
図１４はＢＣＡを模式的に示している。
図１４Ａのように、ＢＣＡは低反射率領域ＬＡと高反射率領域ＨＡがトラック線方向に交互に現れる。そして低反射率領域ＬＡが、ピットＰ及びランドＬによるピット列部とされ、高反射率領域ＨＡはミラー部とされている。
低反射率領域ＬＡのピット列は正三角形の各頂点位置を基準とする位置関係となるようにピットＰが形成されている。
【００６０】
再生装置で、このＢＣＡを再生した場合、得られるＲＦ信号（再生信号）の波形は、図１４Ｂのようになる。つまり、ピットＰが形成されていないミラー部である高反射率領域ＨＡでは、高い反射光が得られるので、ＲＦ信号波形は高いレベルとなる。
一方、ピット列が形成された低反射率領域ＬＡでは、ピット列に応じた反射光が得られるが、ミラー部よりは反射光量は落ちるため、ＲＦ信号レベルは低くなる。
再生装置では、このような高反射率領域ＨＡと低反射率領域ＬＡでのＲＦ信号振幅の差から、「１」「０」の情報を得ることができ、ＢＣＡに記録された情報を読み出すことができる。
【００６１】
このようなＢＣＡ構造とすると、光ディスクの製造工程を簡略化できる。
従前の記録層を焼き切る方式の場合、製造された光ディスクの一枚ごとに、高パワーのレーザ出力を行うＢＣＡ記録装置を用いて、反射膜を焼き切ることで形成していた。
これに対して、ミラー部とピット列部でＢＣＡを形成すれば、このようなディスク一枚毎のＢＣＡ形成は不要となる。
即ちディスク原盤９０のマスタリング時に、低反射率領域ＬＡのピット列に相当する露光マークのパターンが形成されるようにし、露光マーク部分を凹部とする。高反射率領域ＨＡは非露光部分とし、ランドＬに相当する凸部とする。
このようなディスク原盤からスタンパが作成され、さらにスタンパを用いて光ディスクが大量生産されるが、すると、大量生産の光ディスクが製造された時点で、既にＢＣＡが形成されていることになる。
【００６２】
このようなＢＣＡを設ける場合、ディスク原盤９０のマスタリング時に、ディスク原盤９０上に、低反射率領域ＬＡのピットに相当する露光マークを形成する。これが図１３Ｂに示したように、２Ｔマークが正三角形の頂点位置に形成されるようにするとする。
この場合、マーク形成位置を適切に制御しなければならないが、第１の実施の形態において図５で説明したようにレーザ駆動パルスＰｄを発生させることで、図４のようなマーク形成、即ち正三角形配置の露光マークＭを形成できる。
結果として最終製品で或る光ディスクでは、その露光マークＭの部分がピットＰとなり、図１３Ｂのような正三角形配置の２Ｔピット群で、低反射率領域ＬＡが形成されたＢＣＡが形成されるものとなる。
【００６３】
なお、ここでは正三角形配置の例としたが、上述の第１〜第４の実施の形態のようにマーク形成位置を細かく制御できることから、より多様なピット配置パターンの低反射率領域ＬＡを形成することも可能である。
【００６４】
＜７．変形例＞
以上、実施の形態について説明してきたが、本開示の技術は多様な変形例が考えられる。
本開示によれば、マーク（ピット）の形成位置を回転同期クロックＣＫ等の基準クロックの制限を超えた分解能で設定できるため、上述のＢＣＡでのピットパターン形成以外にも、光ディスク上にピットによる描画を行う場合や、特定のピット配置パターンを形成する場合などにも適用できる。
例えばマーク（ピット）の配置によっては、上記実施の形態で述べた制御信号Ｓｃによる形成位置制御や、マーク形成時のトラックピッチ設定、さらにはラン長指定信号ＭＴの使用などにより、非常に多様な形状描写を実現できる。例えば文字、数字、各種記号、直線パターン、曲線パターン、任意形状などの精細な描写が可能となる。特に、これらがディスク記録媒体を用いた回転記録系において容易に可能となる。
【００６５】
また、実施の形態ではディスク原盤９０のマスタリング装置に適用した例で示したが、ＣＤ、ＤＶＤ、ＢＤ等の光ディスクとしての記録可能型ディスク（リライタブル型ディスクやライトワンス型ディスク等）に対する記録装置として、本開示のマーク形成装置を適用することも可能である。
これらの光ディスクに対する記録装置では、レーザ光照射により相変化マーク、色素変化マーク等を光ディスクに形成するが、そのレーザ駆動パルスの生成部に対して制御信号Ｓｃ及び逓倍クロックｎ・ＣＫを与えるようにして、レーザ駆動パルスの開始タイミングを制御することで、記録基準クロックの制限を超えて分解能の高い位置制御でマーク形成を行うことができる。
【００６６】
また本開示の技術は、光ディスク記録媒体だけではなく、光記録カード或いは半導体用露光マスクなどのカード型（非円形型）の記録媒体や、体積型記録媒体（例えば体積型ホログラム型記録媒体）など、各種の記録媒体に対する記録装置、マスタリング装置等に適用できることは当然である。即ち記録媒体の形状や種別にかかわらず、その記録媒体に対するマーク形成動作に同期する同期基準信号を逓倍して逓倍信号を生成し、レーザ駆動パルスを、制御信号に応じて、逓倍信号に基づく分解能で開始タイミングを設定して発生させることで、同期基準信号に制限されない自由度の高いマーク形成が可能となる。これによって各種記録媒体において、所望の形状、文字、記号等をマーク配置により表現する状態を実現できる。
【００６７】
なお本技術は以下のような構成も採ることができる。
（１）レーザ駆動パルスに基づくレーザ光照射により記録媒体にマークを形成するヘッド部と、
上記ヘッド部に供給する上記レーザ駆動パルスの開始タイミングの制御信号を生成する制御信号生成部と、
上記ヘッド部による記録媒体へのマーク形成動作に同期する同期基準信号を逓倍して逓倍信号を生成する逓倍器と、
上記レーザ駆動パルスを、上記制御信号に応じて、上記逓倍信号に基づく分解能で開始タイミングを設定して発生させるレーザ駆動パルス生成部と、
を備えたマーク形成装置。
（２）上記レーザ駆動パルス生成部は、特定のラン長のマーク形成のためのレーザ駆動パルスを、上記制御信号に応じて、上記逓倍信号に基づく分解能で開始タイミングを設定して発生させる上記（１）に記載のマーク形成装置。
（３）上記記録媒体は光ディスク記録媒体であり、
上記ヘッド部は、回転駆動される光ディスク記録媒体に対してのレーザ光照射によりマーク形成を行うものとされ、
上記同期基準信号は、上記光ディスク記録媒体の回転に同期した回転同期信号である上記（１）又は（２）に記載のマーク形成装置。
（４）上記制御信号生成部は、上記制御信号を、時間軸方向のパルス長で二値以上を表現する多値信号として生成する上記（１）乃至（３）のいずれかに記載のマーク形成装置。
（５）上記レーザ駆動パルス生成部には、記録媒体に形成するマークのラン長を指定するラン長指定信号が入力され、
上記レーザ駆動パルス生成部は、上記ラン長指定信号で示されるラン長のマーク形成のためのレーザ駆動パルスを、上記制御信号に応じて、上記逓倍信号に基づく分解能で開始タイミングを設定して発生させる上記（１）乃至（４）のいずれかに記載のマーク形成装置。
【符号の説明】
【００６８】
１  制御信号生成部、２  レーザ駆動パルス生成部、３  露光ヘッド、４  逓倍器、５ターンテーブル、６  スピンドルモータ、７  スライダ、８  駆動制御部、９０  ディスク原盤
【図１】
2013054808.tif 000003
【図２】
2013054808.tif 000004
【図３】
2013054808.tif 000005
【図４】
2013054808.tif 000006
【図５】
2013054808.tif 000007
【図６】
2013054808.tif 000008
【図７】
2013054808.tif 000009
【図８】
2013054808.tif 000010
【図９】
2013054808.tif 000011
【図１０】
2013054808.tif 000012
【図１１】
2013054808.tif 000013
【図１２】
2013054808.tif 000014
【図１３】
2013054808.tif 000015
【図１４】
2013054808.tif 000016